(57)【要約】【課題】ディスク回転制御用ＣＰＵに対する負荷を増大させることなく、長時間記録可能な光ディスクへの記録時に抽出するアドレス情報の連続性を維持できる光ディスク記録装置を提供する。【解決手段】光ディスク１に予め記録された情報がアドレス情報であるかディスク特定情報であるかを弁別するデータ弁別手段５と、抽出されたアドレス情報に誤りがないかどうかを検出するエラー検出手段６と、誤りが検出されたときに直前の誤りのないアドレス情報に基づいてアドレス情報の補間を行うアドレス情報補間回路７とを備え、データ弁別手段５において光ディスクのリードイン領域にのみ書き込まれた特定の情報が検知されたときに、位置判別手段９により光ディスク上のピックアップ位置がリードイン領域であると判断し、光ディスク１上の２箇所の同じアドレス情報９９分５９秒７４フレームの次のアドレス情報の補間を適正に行えるようにした光ディスク記録装置。【選択図】　　　　　図１
2004070982.tif 000002
【特許請求の範囲】
【請求項１】
光ディスクに予め記録されたアドレス情報とディスク特定情報を抽出する情報抽出ステップと、
前記情報抽出ステップで抽出した情報がアドレス情報であるかディスク特定情報であるかを弁別するデータ弁別ステップと、
前記情報抽出ステップで抽出したアドレス情報に誤りがないかどうかを検出するエラー検出ステップと、
前記抽出したアドレス情報に誤りがあったことを前記エラー検出ステップにおいて検出した場合に、直前の誤りのないアドレス情報に基づいてアドレス情報の補間を行うアドレス情報補間ステップと、
前記データ弁別ステップにおいて、光ディスクのリードイン領域にのみ書き込まれた特定の情報が検知されたときに、光学読み取り用ピックアップ位置が光ディスクのリードイン領域であると判別する位置判別ステップと、
前記データ弁別ステップにおいて弁別されたアドレス情報のリードイン領域であらかじめ決められた最大アドレス値の次の時間情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位ビットに特定符号を付したアドレス値に補間するステップとを有し、前記各ステップにより得られたアドレス情報に基づいて、前記光ディスクにデータを記録する
光ディスク記録方法。
【請求項２】
光ディスクに予め記録されたアドレス情報とディスク特定情報を抽出する情報抽出手段と、
前記情報抽出手段で抽出された情報がアドレス情報であるかディスク特定情報であるかを弁別するデータ弁別手段と、
前記情報抽出手段で抽出されたアドレス情報に誤りがないかどうかを検出するエラー検出手段と、
前記抽出されたアドレス情報に誤りがあったことを前記エラー検出手段が検出した場合に、直前の誤りのないアドレス情報に基づいてアドレス情報の補間を行うアドレス情報補間手段と、
前記データ弁別手段において、光ディスクのリードイン領域にのみ書き込まれた特定の情報が検知されたときに、光学読み取り用ピックアップ位置が光ディスクのリードイン領域であると判断する位置判別手段と、
前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位ビットに特定符号を付したアドレス値に補間する手段と、
前記各手段により得られた時間情報に基づいて、前記光ディスクにデータを記録する手段と
を備えた光ディスク記録装置。
【発明の詳細な説明】
【０００１】
【発明の属する技術分野】
本発明は、記録可能な光ディスクであるＣＤ−Ｒ（Ｃｏｍｐａｃｔ　Ｄｉｓｃ−Ｒｅｃｏｒｄａｂｌｅ）またはＣＤ−ＲＷ（Ｃｏｍｐａｃｔ　Ｄｉｓｃ−ＲｅＷｒｉｔａｂｌｅ）（以下、「光ディスク」という）の記録方法および装置に関する。
【０００２】
【従来の技術】
従来の光ディスクの記録装置の構成を図４に示す。同図において記録装置は、光ディスク１に記録された情報を読み取る光学読み取り用ピックアップ２と、ピックアップ２で読み取ったアドレス情報（ＡＴＩＰ（Ａｂｓｏｌｕｔｅ　Ｔｉｍｅ　Ｉｎ　Ｐｒｅｇｒｏｏｖｅ）情報）の復調を行うＡＴＩＰ復調手段３と、復調されたＡＴＩＰデータに対しデコードを行うＡＴＩＰデコーダ４と、デコード後のＡＴＩＰデコードデータが時間情報であるかその他の情報であるかの弁別を行うデータ弁別手段５と、ＡＴＩＰデコードデータにＣＲＣ（Ｃｙｃｌｉｃ　Ｒｅｄｕｎｄａｎｃｙ　Ｃｈｅｃｋ）エラーがないかチェックを行うエラー検出手段６と、ＣＲＣエラーが発生した場合、ＡＴＩＰデコードデータに対してアドレス情報の補間を行うアドレス情報補間回路７と、ディスク回転制御用ＣＰＵ８とを備えている。
【０００３】
未記録の光ディスク１には、図５に示すようにピックアップ２が正確なトラッキングを行えるように、予め案内溝（Ｐｒｅｇｒｏｏｖｅ）１０が記録されている。この案内溝１０には、回転数を正確に保つためのクロック信号（ウォブル信号）で変調されたＡＴＩＰが記録されている。
【０００４】
ＣＤ−Ｒにおいて規定されているアドレス情報のフォーマットを図６（ａ）に示す。先頭は４ビットの同期信号、ついで分情報、秒情報、フレーム情報、ＣＲＣ情報の順に情報が記述される。アドレス情報である分、秒、フレームはそれぞれ１０進数の１桁に４ビットが割り当てられた２桁（８ビット）のＢＣＤ（Ｂｉｎａｒｙ　Ｃｏｄｅｄ　Ｄｅｃｉｍａｌ）で表される。例えば９５分４５秒６０フレームというアドレス情報は、図６（ｂ）に示すように、ＢＣＤで１００１　０１０１　　０１００　０１０１　　０１１０　００００であり、その最上位ビットＭ１，Ｓ１，Ｆ１は１００である。
【０００５】
アドレス情報のうち、分情報は８０分以上の場合があるので分情報の最上位ビットＭ１は０または１となりうるが、秒情報は最大が５９（ＢＣＤで０１０１　１００１）、フレーム情報は最大が７４（ＢＣＤで０１１１　０１００）であるため、秒情報とフレーム情報の最上位ビットはいずれも０である。したがって、アドレス情報の最上位ビットＭ１，Ｓ１，Ｆ１は０００または１００以外の値にはならない。そこで、光ディスクに予め記録された情報のうち、アドレス情報以外の情報であるディスク特定情報を、最上位ビットＭ１，Ｓ１，Ｆ１の組み合わせである［００１，０１０，０１１，１０１，１１０，１１１］のいずれかに割り当てることで、アドレス情報と区別できる情報として記録するようにしている。
【０００６】
従来の光ディスク記録装置では、図４に示すように光ディスク１の案内溝に記録された情報を光ピックアップ２で読み取り、ＡＴＩＰ復調手段３によりアドレス情報に復調する。復調されたアドレス情報は、ＡＴＩＰデコーダ４によりＢＣＤであるＡＴＩＰデコードデータに復号される。データ弁別手段５では、ＡＴＩＰデコードデータの最上位ビットＭ１，Ｓ１，Ｆ１に基づいて、ＡＴＩＰデコードデータがアドレス情報であるかそれ以外のディスク特定情報であるかを弁別する。エラー検出手段６では、ＡＴＩＰデコードデータに含まれるＣＲＣ情報に基づいてエラーチェックを行う。アドレス情報補間回路７では、ＣＲＣエラーが発生した場合、ＡＴＩＰデコードデータのアドレス情報の連続性を利用し、１つ前のエラーのないＡＴＩＰデコードデータに基づいてアドレス情報の補間を行う。
【０００７】
ここで、ＣＲＣは、ＡＴＩＰデコードデータを特定のＣＲＣ生成多項式で割った余りが０であればエラーなし、余りが０でなければエラーとするチェック方法であり、１４ビットを用いる場合には例えば次のＣＲＣ生成多項式が用いられる。
Ｐ（Ｘ）＝Ｘ１４＋Ｘ１２＋Ｘ１０＋Ｘ７＋Ｘ４＋Ｘ２＋１
このようにして、読み取ったアドレス情報を元にして、光ディスク１へのデータの書き込みを行う。
【０００８】
【発明が解決しようとする課題】
光ディスクであるＣＤ−Ｒ／ＣＤ−ＲＷは、当初は音楽用ＣＤと同じく、７４分が最大の記録時間であったが、近年の製造技術の進歩およびユーザのニーズにより、９９分以上の記録が可能な高記録密度の光ディスクが出現した。
【０００９】
ＣＤ−Ｒ／ＣＤ−ＲＷの規格では、図５に示すように、光ディスクにおけるプログラム領域の始まりを表すリードイン領域と終わりを表すリードアウト領域というものがある。リードイン領域には、図７に示すように、アドレス情報の始まりである００分００秒００フレームの前に、９９分５９秒７４フレームを表すアドレス情報が記録されている。一方、９９分以上の記録が可能な光ディスクにおいては、１００分をＢＣＤで表すＡ０分００秒００フレームの前にも、９９分５９秒７４フレームを表すアドレス情報が記録されることになる。
【００１０】
このように、光ディスクの内周側のリードイン領域の００分００秒００フレームの前と、外周側のＡ０分００秒００フレームの前に、９９分５９秒７４フレームが存在し、同一光ディスクの中に同じアドレスが２つ存在することになる。
【００１１】
前述したように、エラー検出手段６では、ＣＲＣによるエラーチェックでアドレス情報に誤りがあった場合、アドレスの連続性を利用して１つ前の誤りのないアドレス情報に基づいてアドレス情報の補間を行っている。そのため、９９分５９秒７４フレームの次のアドレス情報に誤りがあった場合、その次のアドレス情報を「００分００秒００フレーム」と補間するか「Ａ０分００秒００フレーム」と補間するか、補間方法が２通り存在することになる。その判別を誤るとアドレス情報の連続性に不整合が生じ異常事態と判断し、書き込み停止となる場合もある。
【００１２】
従来はこの問題を解決するため、書き込み位置が光ディスク１の内周側であるか外周側であるかを、ピックアップ２で検出した光ディスク１の回転数などを元に、ディスク回転制御用ＣＰＵ８が判別を行っていた。しかし、ディスク回転制御用ＣＰＵ８は装置全体を制御するホストＣＰＵ（図示せず）とのデータのやりとり等も行っており、これに光ディスクの回転数を常時監視するタスクが加わると、ディスク回転制御用ＣＰＵ８のデータの取りこぼしを起こす場合もあり、記録装置全体の動作に悪影響を与えるという問題がある。
【００１３】
そこで本発明は、ディスク回転制御用ＣＰＵに対する負荷を増大させることなく、光ディスクへの記録時に抽出するアドレス情報から自動的にアドレス情報の連続性を維持し、記録を最適に行うことのできる光ディスク記録方法および装置を提供することを目的とする。
【００１４】
【課題を解決するための手段】
本発明の光ディスク記録方法は、記録可能な光ディスクに予め記録されたアドレス情報を抽出する情報抽出ステップと、前記情報抽出ステップで抽出した情報がアドレス情報であるかそれ以外のディスク特定情報であるかを弁別するデータ弁別ステップと、前記情報抽出ステップで抽出したアドレス情報に誤りがないかどうかを検出するエラー検出ステップと、前記抽出したアドレス情報に誤りがあったことを前記エラー検出ステップにおいて検出した場合に、直前の誤りのないアドレス情報に基づいてアドレス情報の補間を行うアドレス情報補間ステップと、前記データ弁別ステップにおいて、光ディスクのリードイン領域にのみ書き込まれた特定の情報が検知されたときに、光学読み取り用ピックアップ位置が光ディスクのリードイン領域であると判別する位置判別ステップと、前記データ弁別ステップにおいて弁別されたアドレス情報のリードイン領域であらかじめ決められた最大アドレス値の次の時間情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位ビットに特定符号を付したアドレス値に補間するステップとを有し、前記各ステップにより得られたアドレス情報に基づいて、前記光ディスクにデータを記録するようにしたものである。
【００１５】
また本発明の光ディスク記録装置は、光ディスクに予め記録されたアドレス情報とディスク特定情報を抽出する情報抽出手段と、前記情報抽出手段で抽出された情報がアドレス情報であるかディスク特定情報であるかを弁別するデータ弁別手段と、前記情報抽出手段で抽出されたアドレス情報に誤りがないかどうかを検出するエラー検出手段と、前記抽出されたアドレス情報に誤りがあったことを前記エラー検出手段が検出した場合に、直前の誤りのないアドレス情報に基づいてアドレス情報の補間を行うアドレス情報補間手段と、前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位ビットに特定符号を付したアドレス値に補間する手段と、前記各手段により得られた時間情報に基づいて、前記光ディスクにデータを記録する手段と、前記各手段により得られた時間情報に基づいて、前記光ディスクにデータを記録する手段とを備えたものである。
【００１６】
記録可能な光ディスク、すなわちＣＤ−Ｒ／ＣＤ−ＲＷの仕様では、リードイン領域でのアドレス情報には、その光ディスクに固有のディスク特定情報、いわゆるＴＯＣ（Ｔａｂｌｅ　Ｏｆ　Ｃｏｎｔｅｎｔｓ）など、光ディスクのリードイン領域にのみ書き込まれる情報がある。例えば、ディスク特定情報を、１０フレーム（１３３ｍｓ毎）に１回、９９分５９秒７４フレームの前に周期的に記録することになっている。このディスク特定情報は、リードイン領域のみに記録され、それ以外の領域では記録しない。
【００１７】
本発明はそのことに着目し、アドレス情報が光ディスクのリードイン領域にのみ書き込まれる特定の情報を含んでいるかで、現在の光学読み取り用ピックアップ位置がリードイン領域にあるかどうかを判断して、時間情報の９９分５９秒７４フレームの次のアドレス情報が誤りであると判断されたときに、次のアドレス情報を００分００秒００フレームに補間するか、Ａ０分００秒００フレームに補間するようにした。
【００１８】
これにより、アドレス情報に誤りがあったとき、それが光ディスクのどの領域で生じても、アドレス情報の連続性が維持され、光ディスクへの記録を確実に行うことができる。
【００１９】
【発明の実施の形態】
本発明の実施の形態に係る光ディスクの記録方法および記録装置を図１〜図３を用いて説明する。
【００２０】
図１は本実施の形態の光ディスク記録装置の構成を示すブロック図である。この光ディスク記録装置は、光ディスク１に記録された情報を読み取る光学読み取り用ピックアップ２と、同ピックアップ２で読み取ったアドレス情報の復調を行うＡＴＩＰ復調手段３と、復調されたＡＴＩＰデータに対しデコード行うＡＴＩＰデコーダ４と、ＡＴＩＰデコードデータがアドレス情報であるかその他のディスク特定情報であるかの弁別を行うデータ弁別手段５と、ＡＴＩＰデコードデータにＣＲＣエラーがないかチェックを行うエラー検出手段６と、ＣＲＣエラーが発生した場合、ＡＴＩＰデコードデータに対してアドレス情報の補間を行うアドレス情報補間回路７と、光学読み取り用ピックアップの位置がリードイン領域であるかを判別する位置判別手段９と、ディスク回転制御用ＣＰＵ８とを備えている。なお図示しないが、光ディスク記録装置には、アドレス情報補間回路７によって得られたアドレス情報に基づいて所定のデータを光ディスク１に記録するデータ書き込み回路およびレーザダイオード等の書き込み手段が設けられている。
【００２１】
図４に示した従来の装置との相違点は、位置判別手段９を設けたことである。前述のように、９９分以上の記録が可能な光ディスク１においては、アドレス情報の中に９９分５９秒７４フレームの部分が２ヶ所あり、ひとつは光ディスクの最内周のリードイン領域、もうひとつは光ディスクの最外周のリードアウト領域近辺である（図５参照）。位置判別手段９は、光ディスク１への書き込み位置が光ディスク１のリードイン領域付近であるか否かの判別を行うものである。
【００２２】
本実施の形態における位置判別手段９の動作を、図２に示すフローチャートを参照して説明する。
【００２３】
ステップＳ１００
光ディスクから読み出すＡＴＩＰデコードデータが所定の周期と同期しているかどうかを観測する。具体的には、図６（ａ）の同期コードが周期的に現れているかどうかを確認している。同期が外れる原因としては、例えば光ディスクの回転駆動系の変動、外乱混入などに起因する回転制御を行うＰＬＬ（Ｐｈａｓｅ−Ｌｏｃｋｅｄ　Ｌｏｏｐ）回路の誤動作などが挙げられる。同期していればステップＳ１１０に進み、同期が外れたときはステップＳ１３０に進む。
【００２４】
ステップＳ１１０
ＡＴＩＰデコードデータを観測し、１０フレームに１回、アドレス情報でないディスク特定情報が来ているかどうかを判別する。来ていれば、ステップＳ１２０に進み、来ていなければステップＳ１３０に進む。
【００２５】
ステップＳ１２０
現在の書き込み位置が内周側であることを示す内周位置検出フラグ信号（ＦＬＡＧ）をＯＮにする。
【００２６】
ステップＳ１３０
内周位置検出フラグ信号（ＦＬＡＧ）をＯＦＦにする。
【００２７】
ステップＳ１２０およびＳ１３０からＳ１００に戻っており、ステップＳ１２０によって内周位置検出フラグ信号（ＦＬＡＧ）がＯＮになった状態でも、ＡＴＩＰ同期が外れた場合は、ステップＳ１３０によりただちにＦＬＡＧをＯＦＦとし、ステップＳ１００に戻って再びＡＴＩＰデコードデータの観測を開始する。
【００２８】
位置判別装置９は以上の処理を行い、内周位置検出フラグ信号（ＦＬＡＧ）をアドレス情報補間回路７に出力する。
【００２９】
アドレス情報補間回路７の動作を図３のフローチャートを用いて説明する。図中のＲＡＷはＡＴＩＰデコードデータであり、ＧＲＤ（ｔ）はアドレス情報出力であり、ＧＲＤ（ｔ−１）は一つ前のアドレス情報である。
【００３０】
ステップＳ２００
ＡＴＩＰデコードデータが所定の周期と同期しているかどうかを観測する。同期していれば、ステップＳ２１０に進む。同期していなければ観測を続ける。
【００３１】
ステップＳ２１０
アドレス情報補間回路７はＡＴＩＰデコードデータにＣＲＣエラーがあるかどうかを監視する。エラーがない場合はステップＳ２２０に進む。エラーがあればＳ２３０に進む。
【００３２】
ステップＳ２２０
ＡＴＩＰデコードデータＲＡＷをそのままアドレス情報ＧＲＤ（ｔ）として出力する。
【００３３】
ステップＳ２３０
ＣＲＣエラーが発生した場合は、そのエラーが発生する一つ前のアドレス情報ＧＲＤ（ｔ−１）が９９分５９秒７４フレームかどうかを判別する。そうでなければステップＳ２４０に進む。そうであればステップＳ２５０に進む。
【００３４】
ステップＳ２４０
アドレス情報の連続性を利用して、一つ前のアドレス情報ＧＲＤ（ｔ−１）に１を加えたものを現在のアドレス情報ＧＲＤ（ｔ）に置き換えてアドレス情報の補間を行う。例えば、２５分３１秒２３フレームの次のアドレス情報のところでエラーが生じた場合は、２５分３１秒２３フレームをインクリメントした２５分３１秒２４フレームをＡＴＩＰデコードデータと置き換えてアドレス情報として出力する。
【００３５】
ステップＳ２５０
９９分５９秒７４フレームの次のＡＴＩＰデコードデータにＣＲＣエラーが発生した場合は、現在の書き込み位置が内周側（リードイン領域）であることを示すＦＬＡＧが１かどうかを判別する。ＦＬＡＧ＝１であればステップＳ２６０に進む。そうでなければステップＳ２７０に進む。
【００３６】
ステップＳ２６０
００分００秒００フレームをＡＴＩＰデコードデータＲＡＷと置き換え現在のアドレス情報ＧＲＤ（ｔ）とする。
【００３７】
ステップＳ２７０
Ａ０分００秒００フレームをＡＴＩＰデコードデータＲＡＷと置き換え現在のアドレス情報ＧＲＤ（ｔ）とする。
以上の手法によりアドレス情報の連続性を維持し、最適な記録状態が得られる。
【００３８】
【発明の効果】
本発明によれば、光ディスクのリードイン領域にのみ書き込まれた特定の情報を検知し、アドレス情報の９９分５９秒７４フレームの次のアドレス情報が誤りであると判断されたときに、現在の光ディスクにおける光学読み取り用ピックアップ位置がリードイン領域にあるかどうかを自動判別して、次のアドレス情報を００分００秒００フレームに補間するか、Ａ０分００秒００フレームに補間するかを決定するようにしたので、９９分以上の長時間記録可能な光ディスクにおけるアドレス情報を確実に抽出して、書き込み時のアドレス情報の連続性を維持することができる。
また、光ディスク上の書き込み位置の自動判別を、抽出したアドレス情報自体を利用して行うので、従来の光ディスクの回転数の情報をディスク回転制御用ＣＰＵに取り込んで常時監視する手法に対してディスク回転制御用ＣＰＵの負荷を増大させることがなく、ＣＰＵによるデータの取りこぼしや誤動作のおそれがない。
光ディスクのリードイン領域にのみ書き込まれた特定の情報としては、アドレス情報ではない情報を１０フレーム（１３３ｍｓ毎）に１回、周期的に記録することになっているので、その情報を用いることができる。
【図面の簡単な説明】
【図１】本発明の実施の形態に係る光ディスク記録装置の構成を示すブロック図である。
【図２】本実施の形態における位置検出装置の処理の流れを示すフローチャートである。
【図３】本実施の形態におけるアドレス情報補間回路の処理の流れを示すフローチャートである。
【図４】従来の光ディスク記録装置の構成を示すブロック図である。
【図５】光ディスクにおける案内溝とリードイン領域、リードアウト領域を示す説明図である。
【図６】アドレス情報のフォーマットの説明図である。
【図７】光ディスクに記録されたアドレス情報と光ディスク上の位置の関係を示すグラフである。
【符号の説明】
１　光ディスク
２　ピックアップ
３　ＡＴＩＰ復調手段
４　ＡＴＩＰデコーダ
５　データ弁別手段
６　エラー検出手段
７　アドレス情報補間回路
８　ディスク回転制御用ＣＰＵ
９　位置判別手段
１０　案内溝
【図１】
2004070982.tif 000003
【図２】
2004070982.tif 000004
【図３】
2004070982.tif 000005
【図４】
2004070982.tif 000006
【図５】
2004070982.tif 000007
【図６】
2004070982.tif 000008
【図７】
2004070982.tif 000009
【手続補正書】
【提出日】平成14年9月12日(2002.9.12)
【手続補正１】
【補正対象書類名】明細書
【補正対象項目名】特許請求の範囲
【補正方法】変更
【補正の内容】
【特許請求の範囲】
【請求項１】
光ディスクに予め記録されたアドレス情報とディスク特定情報を抽出する情報抽出ステップと、
前記情報抽出ステップで抽出した情報がアドレス情報であるかディスク特定情報であるかを弁別するデータ弁別ステップと、
前記情報抽出ステップで抽出したアドレス情報に誤りがないかどうかを検出するエラー検出ステップと、
前記抽出したアドレス情報に誤りがあったことを前記エラー検出ステップにおいて検出した場合に、直前の誤りのないアドレス情報に基づいてアドレス情報の補間を行うアドレス情報補間ステップと、
前記データ弁別ステップにおいて、光ディスクのリードイン領域にのみ書き込まれた特定の情報が検知されたときに、光学読み取り用ピックアップ位置が光ディスクのリードイン領域であると判別する位置判別ステップと、
前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位桁に特定符号を付したアドレス値に補間するステップとを有し、前記各ステップにより得られたアドレス情報に基づいて、前記光ディスクにデータを記録する
光ディスク記録方法。
【請求項２】
光ディスクに予め記録されたアドレス情報とディスク特定情報を抽出する情報抽出手段と、
前記情報抽出手段で抽出された情報がアドレス情報であるかディスク特定情報であるかを弁別するデータ弁別手段と、
前記情報抽出手段で抽出されたアドレス情報に誤りがないかどうかを検出するエラー検出手段と、
前記抽出されたアドレス情報に誤りがあったことを前記エラー検出手段が検出した場合に、直前の誤りのないアドレス情報に基づいてアドレス情報の補間を行うアドレス情報補間手段と、
前記データ弁別手段において、光ディスクのリードイン領域にのみ書き込まれた特定の情報が検知されたときに、光学読み取り用ピックアップ位置が光ディスクのリードイン領域であると判断する位置判別手段と、
前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位桁に特定符号を付したアドレス値に補間する手段と、
前記各手段により得られたアドレス情報に基づいて、前記光ディスクにデータを記録する手段と
を備えた光ディスク記録装置。
【手続補正２】
【補正対象書類名】明細書
【補正対象項目名】０００２
【補正方法】変更
【補正の内容】
【０００２】
【従来の技術】
従来の光ディスクの記録装置の構成を図４に示す。同図において記録装置は、光ディスク１に記録された情報を読み取る光学読み取り用ピックアップ２と、ピックアップ２で読み取ったアドレス情報（ＡＴＩＰ（Ａｂｓｏｌｕｔｅ　Ｔｉｍｅ　Ｉｎ　Ｐｒｅｇｒｏｏｖｅ）情報）の復調を行うＡＴＩＰ復調手段３と、復調されたＡＴＩＰデータに対しデコードを行うＡＴＩＰデコーダ４と、デコード後のＡＴＩＰデコードデータがアドレス情報であるかその他の情報であるかの弁別を行うデータ弁別手段５と、ＡＴＩＰデコードデータにＣＲＣ（Ｃｙｃｌｉｃ　Ｒｅｄｕｎｄａｎｃｙ　Ｃｈｅｃｋ）エラーがないかチェックを行うエラー検出手段６と、ＣＲＣエラーが発生した場合、ＡＴＩＰデコードデータに対してアドレス情報の補間を行うアドレス情報補間回路７と、ディスク回転制御用ＣＰＵ８とを備えている。


【手続補正３】
【補正対象書類名】明細書
【補正対象項目名】００１４
【補正方法】変更
【補正の内容】
【００１４】
【課題を解決するための手段】
本発明の光ディスク記録方法は、記録可能な光ディスクに予め記録されたアドレス情報を抽出する情報抽出ステップと、前記情報抽出ステップで抽出した情報がアドレス情報であるかそれ以外のディスク特定情報であるかを弁別するデータ弁別ステップと、前記情報抽出ステップで抽出したアドレス情報に誤りがないかどうかを検出するエラー検出ステップと、前記抽出したアドレス情報に誤りがあったことを前記エラー検出ステップにおいて検出した場合に、直前の誤りのないアドレス情報に基づいてアドレス情報の補間を行うアドレス情報補間ステップと、前記データ弁別ステップにおいて、光ディスクのリードイン領域にのみ書き込まれた特定の情報が検知されたときに、光学読み取り用ピックアップ位置が光ディスクのリードイン領域であると判別する位置判別ステップと、前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位桁に特定符号を付したアドレス値に補間するステップとを有し、前記各ステップにより得られたアドレス情報に基づいて、前記光ディスクにデータを記録するようにしたものである。


【手続補正４】
【補正対象書類名】明細書
【補正対象項目名】００１５
【補正方法】変更
【補正の内容】
【００１５】
また本発明の光ディスク記録装置は、光ディスクに予め記録されたアドレス情報とディスク特定情報を抽出する情報抽出手段と、前記情報抽出手段で抽出された情報がアドレス情報であるかディスク特定情報であるかを弁別するデータ弁別手段と、前記情報抽出手段で抽出されたアドレス情報に誤りがないかどうかを検出するエラー検出手段と、前記抽出されたアドレス情報に誤りがあったことを前記エラー検出手段が検出した場合に、直前の誤りのないアドレス情報に基づいてアドレス情報の補間を行うアドレス情報補間手段と、前記データ弁別ステップにおいて弁別されたアドレス情報のリードイン領域であらかじめ決められた最大アドレス値の次のアドレス情報が、前記エラー検出ステップにおいて誤りであると判断されたときに、前記位置判別ステップで判別された光学読み取り用ピックアップ位置がリードイン領域である場合は次のアドレス情報をあらかじめ決められた最小アドレス値に、リードイン領域でない場合は最小アドレス値の最上位桁に特定符号を付したアドレス値に補間する手段と、前記各手段により得られたアドレス情報に基づいて、前記光ディスクにデータを記録する手段とを備えたものである。


【手続補正５】
【補正対象書類名】明細書
【補正対象項目名】００１６
【補正方法】変更
【補正の内容】
【００１６】
記録可能な光ディスク、すなわちＣＤ−Ｒ／ＣＤ−ＲＷの仕様では、その光ディスクに固有のディスク特定情報など、光ディスクのリードイン領域にのみ書き込まれる情報がある。例えば、ディスク特定情報を、１０フレーム（１３３ｍｓ毎）に１回、９９分５９秒７４フレームの前に周期的に記録することになっている。このディスク特定情報は、リードイン領域のみに記録され、それ以外の領域では記録しない。


【手続補正６】
【補正対象書類名】明細書
【補正対象項目名】００１７
【補正方法】変更
【補正の内容】
【００１７】
本発明はそのことに着目し、アドレス情報が光ディスクのリードイン領域にのみ書き込まれる特定の情報を含んでいるかで、現在の光学読み取り用ピックアップ位置がリードイン領域にあるかどうかを判断して、アドレス情報の９９分５９秒７４フレームの次のアドレス情報が誤りであると判断されたときに、次のアドレス情報を００分００秒００フレームに補間するか、Ａ０分００秒００フレームに補間するようにした。